(57)【要約】      （修正有）【課題】メモ用紙を立体的に利用して、その存在を容易に認識できると共に、使い勝手の良いメモ用紙束を提供する。【解決手段】メモ用紙３が複数枚積層されたメモ用紙束１であって、メモ用紙は、シート状の用紙本体部１０と、用紙本体部の第１面に設けられ、メモが記入されるメモ部と、用紙本体部の第１面の反対側の第２面に設けられ、意匠が施された意匠部と、用紙本体部と破線状の孔１６で分離可能に連結され、他のメモ用紙と共に束ねられる束部１４と、用紙本体部に設けられ、用紙本体部が束部から分離して立体的に環状に巻回される際に巻回状態を保持するための係止部と、を備える。【選択図】図１
0003194182.tif 000002
【実用新案登録請求の範囲】
【請求項１】
メモ用紙が複数枚積層されたメモ用紙束であって、
前記メモ用紙は、
シート状の用紙本体部と、
前記用紙本体部の第１面に設けられ、メモが記入されるメモ部と、
前記用紙本体部の前記第１面の反対側の第２面に設けられ、意匠が施された意匠部と、
前記用紙本体部と分離可能に連結され、他のメモ用紙と共に束ねられる束部と、
前記用紙本体部に設けられ、前記用紙本体部が前記束部から分離して環状に巻回される際に巻回状態を保持するための係止部と、
を備える、メモ用紙束。
【請求項２】
前記係止部は、
前記用紙本体部の前記第１面側から突出する舌片と、
前記用紙本体部に前記舌片から離れて形成されたスリット部と、を有し、
前記用紙本体部か環状に巻回される際に、前記舌片が前記スリット部に前記第２面側から挿入されて係合することで、前記巻回状態を保持する、
請求項１に記載のメモ用紙束。
【請求項３】
各メモ用紙の前記束部は、纏めて綴じ具で綴じられ、又は互いに接着されている、
請求項１又は２に記載のメモ用紙束。
【請求項４】
積層された前記メモ用紙を覆うシート状のカバーを更に備え、
前記カバーは、折り曲げられた状態で、積層された複数の前記メモ用紙を覆っており、
前記束部は、前記カバーの一端部に固定されている、
請求項１から３のいずれか１項に記載のメモ用紙束。
【請求項５】
前記メモ用紙は、前記用紙本体部の端部に折り曲げ可能に形成されている折り曲げ部を更に備え、
前記折り曲げ部は、前記巻回状態の前記メモ用紙が載置面に載置される際に、折り曲げられた状態で前記載置面に接触して前記用紙本体部を支持する、
請求項１から４のいずれか１項に記載のメモ用紙束。
【考案の詳細な説明】
【技術分野】
【０００１】
本考案は、メモ用紙が複数枚積層されたメモ用紙束に関する。
【背景技術】
【０００２】
一般に、伝言や連絡などのメモを記入するメモ用紙が、広く利用されている。ユーザは、メモ用紙にメモを記入した後に、所定の場所に置いて、メモの内容を忘れないようにしている。
【０００３】
近年、ユーザにメモ用紙の存在を認識させるために、用紙を立体的に利用する方法が検討されている。例えば、下記の特許文献１では、ステッカーをリング状に湾曲させた立体ステッカーが提案され、特許文献２では、メッセージカードの中央部に折り目を付けてグラスの上縁部に係止する方法が提案され、特許文献３では、メモ用紙を環状に配した状態で保持する方法が提案されている。
【先行技術文献】
【特許文献】
【０００４】
【特許文献１】実開昭６０−４４０６９号公報
【特許文献２】特許第５０２６４７１号公報
【特許文献３】実用新案登録第３１７７５９２号公報
【考案の概要】
【考案が解決しようとする課題】
【０００５】
ところで、メモ用紙は、安価に販売する観点や使い勝手の観点等から、メモ用紙を複数枚積層したメモ用紙束（メモ帳とも呼ぶ）として販売されている。しかし、上述した特許文献１〜３は、いずれも一枚の用紙を立体的に利用する点に着目したものに過ぎず、単体で販売されるので、一枚毎に開封が必要になり使い勝手が悪く、コスト低減も困難であった。
【０００６】
そこで、本考案はこれらの点に鑑みてなされたものであり、ユーザがメモ用紙の存在を容易に認識できると共に、使い勝手の良いメモ用紙束を提供することを目的とする。
【課題を解決するための手段】
【０００７】
本考案の第１の態様においては、メモ用紙が複数枚積層されたメモ用紙束であって、前記メモ用紙は、シート状の用紙本体部と、前記用紙本体部の第１面に設けられ、メモが記入されるメモ部と、前記用紙本体部の前記第１面の反対側の第２面に設けられ、意匠が施された意匠部と、前記用紙本体部と分離可能に連結され、他のメモ用紙と共に束ねられる束部と、前記用紙本体部に設けられ、前記用紙本体部が前記束部から分離して環状に巻回される際に巻回状態を保持するための係止部と、を備える、メモ用紙束を提供する。
【０００８】
上記のメモ用紙束において、前記係止部は、前記用紙本体部の前記第１面側から突出する舌片と、前記用紙本体部に前記舌片から離れて形成されたスリット部と、を有し、前記用紙本体部か環状に巻回される際に、前記舌片が前記スリット部に前記第２面側から挿入されて係合することで、前記巻回状態を保持してもよい。
【０００９】
上記のメモ用紙束において、各メモ用紙の前記束部は、纏めて綴じ具で綴じられ、又は互いに接着されてもよい。また、上記のメモ用紙束は、積層された前記メモ用紙を覆うシート状のカバーを更に備え、前記カバーは、折り曲げられた状態で、積層された複数の前記メモ用紙を覆っており、前記束部は、前記カバーの一端部に固定されてもよい。
【００１０】
上記のメモ用紙束において、前記メモ用紙は、前記用紙本体部の端部に折り曲げ可能に形成されている折り曲げ部を更に備え、前記折り曲げ部は、前記巻回状態の前記メモ用紙が載置面に載置される際に、折り曲げられた状態で前記載置面に接触して前記用紙本体部を支持してもよい。
【考案の効果】
【００１１】
本考案によれば、ユーザがメモ用紙の存在を容易に認識できると共に、使い勝手の良いメモ用紙束を提供できるという効果を奏する。
【図面の簡単な説明】
【００１２】
【図１】本考案の一実施形態に係るメモ用紙束１の構成を説明するための図である。
【図２】カバー５が閉じた状態のメモ用紙束１を示す図である。
【図３】メモ用紙３の表面１０ａ側の構成を示した図である。
【図４】メモ用紙３の裏面１０ｂ側の構成を示した図である。
【図５】用紙本体部１０を束部１４から分離した状態のメモ用紙３を示した図である。
【図６】用紙本体部１０を立体状態にしたメモ用紙３を示した図である。
【図７】メモ用紙束１の利用方法の一例を説明するための図である。
【考案を実施するための形態】
【００１３】
＜メモ用紙束の概要＞
図１及び図２を参照しながら、本考案の一実施形態に係るメモ用紙束１の概要について説明する。図１は、一実施形態に係るメモ用紙束１の構成を説明するための図である。図２は、カバー５が閉じた状態のメモ用紙束１を示す図である。
【００１４】
メモ用紙束１は、伝言や連絡などのメモを記入するメモ用紙を束ねたものである。ユーザは、メモ用紙束１からメモ用紙を一枚ずつ切り取って使用する。メモ用紙束１は、図１に示すように、メモ用紙３とカバー５とを有する。
【００１５】
メモ用紙３は、図１に示すように、複数枚積層されている。積層されたメモ用紙３は、シート状に形成された紙である。また、メモ用紙３は長尺状に延ばされ、メモ用紙３の長手方向一端側は、カバー５に固定されている。また、メモ用紙３の長手方向他端側には、馬の頭の形状に合わせて輪郭が形成されている。これにより、後述するようにメモ用紙３（正確には、メモ用紙３の用紙本体部１０）を巻回すると、メモ用紙３が立体形態の馬となる。このような立体状態にすることでメモ用紙３が目立つので、ユーザがメモ用紙３の存在を認識しやすくなる。
【００１６】
上記では、メモ用紙３の長手方向他端側が馬の頭の形状となっていることとしたが、これに限定されず、例えば羊や象等の他の動物の形状となっていてもよい。かかる場合には、動物の種類毎にメモ用紙束１が存在する。これにより、ユーザは、メッセージ内容等に応じて、立体形態の動物が異なるメモ用紙を使い分けることができ、メモ用紙束１の使い勝手が向上する。
【００１７】
カバー５は、積層されたメモ用紙３を覆う。カバー５は、一枚のシート状の厚紙である。カバー５は、折り曲げ可能であり、折り曲げられた状態で、積層された複数のメモ用紙３を覆う（図２参照）。カバー５は、台紙部５ａと、蓋部５ｂと、連結部５ｃと、固定部５ｄとを有する。
【００１８】
台紙部５ａは、積層されたメモ用紙３を支える部分である。蓋部５ｂは、連結部５ｃによって台紙部５ａの長手方向他端側と連結されている。蓋部５ｂは、連結部５ｃを支点に開閉可能であり、開状態では図１に示すようにメモ用紙３を露出させ、閉状態では図２に示すようにメモ用紙３を覆う。固定部５ｄは、台紙部５ａの長手方向一端側から連結され、図１に示すようにメモ用紙３の束部１４を覆うように折り曲げられている。このように一枚のカバー５が複数の機能を有することで、簡易な構成で使い勝手の良いメモ用紙束１を実現できる。
【００１９】
メモ用紙３の束部１４は、カバー５の長手方向の一端部である固定部５ｄに固定されている。具体的には、積層された各のメモ用紙の束部１４は、他のメモ用紙と共に束ねられた状態で固定部５ｄに固定されている。この際、各メモ用紙３の束部１４は、纏めて綴じ具で綴じられ、又は互いに接着されている。これにより、簡易な構成で、積層された複数のメモ用紙３を固定部５ｄに固定させることができる。
【００２０】
＜メモ用紙の構成＞
図３〜図５を参照しながら、一実施形態に係るメモ用紙３の詳細構成について説明する。積層される複数のメモ用紙３の各構成は同一であるので、一枚のメモ用紙３を例に挙げて説明する。
【００２１】
図３は、メモ用紙３の表面１０ａ側の構成を示した図である。図４は、メモ用紙３の裏面１０ｂ側の構成を示した図である。図５は、用紙本体部１０を束部１４から分離した状態のメモ用紙３を示した図である。図３及び図４に示すように、メモ用紙３は、用紙本体部１０と、束部１４とを有する。
【００２２】
束部１４は、用紙本体部１０と分離可能に連結されている。具体的には、用紙本体部１０と束部１４の境界には、図３及び図４に示すように切り取り用の破線状の孔１６が形成されている。ユーザが孔１６の部分を切り取ることで、用紙本体部１０が束部１４から分離される。
【００２３】
用紙本体部１０は、シート状になっており、表面１０ａと裏面１０ｂを有する。表面１０ａには、図３に示すように意匠が施された意匠部２０が設けられている。具体的には、表面１０ａの長手方向一端部に、馬の目、鼻、たてがみの形状、模様、色彩等の意匠が施されている。裏面１０ｂには、図４に示すようにメモが記入されるメモ部３０が設けられている。具体的には、裏面１０ｂの中央側に、点線の罫線が所定間隔で描かれており、ユーザは罫線間にメモを記入する。本実施形態では、裏面１０ｂが第１面に該当し、表面１０ａが第２面に該当する。
【００２４】
本実施形態では、図５に示す束部１４から分離後の用紙本体部１０を環状に巻回することで、用紙本体部１０が、図６に示すように馬の形状を示す立体状態になる。図６は、用紙本体部１０を立体状態にしたメモ用紙３を示した図である。
【００２５】
用紙本体部１０には、立体状態の際に折り曲げられて馬の形状を示す５つの折り曲げ部５１、５２、５３、５４、５５が設けられている。図６に示すように、折り曲げ部５１、５２、５３、５４は、折り曲げられて馬の四脚の部分となり、折り曲げ部５５は、折り曲げられて馬の尻尾の部分となる。折り曲げ部５１、５２は、図５に示すように、用紙本体部１０の長辺縁からＬ字状に切り欠かられた切り欠き５１ａ、５１ｂと長辺縁とに囲まれている。折り曲げ部５３、５４は、用紙本体部１０の隅部において短辺縁から直線状に切り欠かれた切り欠き５３ａ、５４ａによって形成されている。折り曲げ部５５は、用紙本体部１０の中央側に形成された切り欠き５５ａによって囲まれている。折り曲げ部５１、５２、５３、５４は、図６に示すように、立体状態のメモ用紙３が机Ｔの載置面に載置される際に、折り曲げられた状態で載置面に接触して用紙本体部１０を支持する。これにより、立体状態のメモ用紙３を机Ｔ上に立たせることができ、また安定した姿勢を保持できる。
【００２６】
用紙本体部１０は、環状に巻回された巻回状態を保持することで立体状態となっている。用紙本体部１０には、図６に示すように、巻回状態を保持するための係止部４０が設けられている。係止部４０は、舌片４２と、スリット部４４とを有する。
【００２７】
舌片４２は、図５に示すように半円状の切り欠き４２ａによって囲まれている。本実施形態では、ユーザは、係止の際に、用紙本体部１０の裏面側から舌片４２が突出するように、舌片４２を曲げる。スリット部４４は、図５に示すように、用紙本体部１０において舌片４２から離れて形成された切り欠きである。スリット部４４の長さは、舌片４２の幅よりも少し大きく、舌片４２がスリット部４４に挿入可能になっている。ユーザは、突出した舌片４２をスリット部４４に挿入して係合させることで、用紙本体部１０の巻回状態を保持させる。上述した係止部４０によれば、簡易な構成で用紙本体部１０を立体状態に保持しやすくなる。
【００２８】
＜メモ用紙束の利用方法＞
図７を参照しながら、上述したメモ用紙束１の利用方法の一例について説明する。図７は、メモ用紙束１の利用方法の一例を説明するための図である。
【００２９】
まず、ユーザは、メモ用紙束１のカバー５の蓋部５ｂを開けて、積層されたメモ用紙３を露出させる。次に、ユーザは、積層された複数のメモ用紙３の中から最上に位置するメモ用紙３を一枚切り取る（状態１０１）。具体的には、ユーザは、メモ用紙３の用紙本体部１０が束部１４から分離するように切り取る。次に、ユーザは、切り取った用紙本体部１０を裏返し、用紙本体部１０の裏面１０ｂのメモ部３０に、ペン等の筆記具Ｐでメッセージ等を記入する（状態１０２）。
【００３０】
次に、ユーザは、裏面１０ｂが正対する用紙本体部１０の長手方向一端側を、環状に巻回する（状態１０３）。すなわち、メッセージが記入された裏面１０ｂが内側に位置するように、用紙本体部１０が巻回する。この際、ユーザは、長手方向一端側のスリット部４４が、巻回されない長手方向他端側の舌片４２に近傍に位置するように、用紙本体部１０の長手方向一端側を巻回する。
【００３１】
次に、ユーザは、舌片４２を裏面１０ｂ側に突出させ、巻回された用紙本体部１０のスリット部４４に、突出した舌片４２に挿入して係合させる（状態１０４）。これにより、用紙本体部１０の巻回状態が保持される。
【００３２】
次に、ユーザは、巻回状態が保持された用紙本体部１０の４つの折り曲げ部５１〜５４を外側に曲げ、折り曲げ部５５を上側に曲げる（状態１０５）。これにより、巻回状態が保持された用紙本体部１０が、馬の立体形態となる。次に、ユーザは、馬の立体形態となった用紙本体部１０を、机Ｔ等の所望の場所に置く（状態１０６）。
【００３３】
なお、裏面１０ｂが巻回された部分の内側に位置するので、メモ部３０にメッセージを第三者に見られる恐れがない。一方、ユーザは、メッセージを見たい場合には、舌片４２とスリット部４４の係合を解除して用紙本体部１０を平らにすれば良いので、容易にメッセージを確認できる。
【００３４】
＜本実施形態の効果＞
上述したように、本実施形態のメモ用紙束１のメモ用紙３は、図３に示すように、用紙本体部１０と分離可能に連結され他のメモ用紙と共に束ねられる束部１４と、束部１４から分離した用紙本体部１０が環状に巻回される際に巻回状態を保持する係止部４０と、を有する。
かかる場合には、係止部４０によって用紙本体部１０が巻回状態（動物等の立体状態）を保持されることで、用紙本体部１０（すなわちメモ用紙３）が目立つので、ユーザはメモ用紙３の存在を容易に認識しやすくなる。また、束部１４によって複数のメモ用紙３がメモ用紙束１として束ねられるので、束からメモ用紙３を一枚切り取るだけで立体状態にでき、この結果使い勝手が良くなる。また、メモ用紙単体では無くメモ用紙束１として流通することで、製造コストも低減できる。
【００３５】
以上、本考案を実施の形態を用いて説明したが、本考案の技術的範囲は上記実施の形態に記載の範囲には限定されない。上記実施の形態に、多様な変更又は改良を加えることが可能であることが当業者に明らかである。そのような変更又は改良を加えた形態も本考案の技術的範囲に含まれ得ることが、特許請求の範囲の記載から明らかである。
【符号の説明】
【００３６】
１    メモ用紙束
３    メモ用紙
５    カバー
５ｂ    蓋部
５ｄ    固定部
１０    用紙本体部
１０ａ    表面
１０ｂ    裏面
１４    束部
２０    意匠部
３０    メモ部
４０    係止部
４２    舌片
４４    スリット部
【図１】
0003194182.tif 000003
【図２】
0003194182.tif 000004
【図３】
0003194182.tif 000005
【図４】
0003194182.tif 000006
【図５】
0003194182.tif 000007
【図６】
0003194182.tif 000008
【図７】
0003194182.tif 000009